(57)【要約】  実施形態に係る無線端末は、ＷＷＡＮの基地局に接続する。前記無線端末は、前記無線端末とＷＬＡＮとの間の接続処理を指示するための設定メッセージを前記基地局から受信し、前記設定メッセージに含まれる、前記無線端末と前記ＷＬＡＮとの間の接続処理の失敗を判定するためのタイマを設定するためのタイマ情報を受信し、前記タイマ情報に基づくタイマを開始させ、前記タイマが満了した場合、前記接続処理が失敗したと判定し、前記接続処理の失敗を示す失敗メッセージを前記基地局に送信する。
2017078062.tif 000002
【特許請求の範囲】
【請求項１】
ＷＷＡＮ（Ｗｉｒｅｌｅｓｓ  Ｗｉｄｅ  Ａｒｅａ  Ｎｅｔｗｏｒｋ）の基地局に接続する無線端末であって、
前記無線端末とＷＬＡＮ（Ｗｉｒｅｌｅｓｓ  Ｌｏｃａｌ  Ａｒｅａ  Ｎｅｔｗｏｒｋ）との間の接続処理を指示するための設定メッセージを前記基地局から受信する処理と、
前記設定メッセージに含まれる、前記無線端末と前記ＷＬＡＮとの間の接続処理の失敗を判定するためのタイマを設定するためのタイマ情報を受信する処理と、
前記タイマ情報に基づくタイマを開始させる処理と、
前記タイマが満了した場合、前記接続処理が失敗したと判定する処理と、
前記接続処理の失敗を示す失敗メッセージを前記基地局に送信する処理と、
を行う制御部を備える無線端末。
【請求項２】
前記タイマの動作中に前記接続処理が成功した場合、前記制御部は、前記タイマを停止させる請求項１に記載の無線端末。
【請求項３】
前記タイマの動作中に前記接続処理が成功した場合、前記制御部は、前記接続処理の成功を示す成功通知を前記基地局に送信する請求項１に記載の無線端末。
【請求項４】
ＷＷＡＮ（Ｗｉｒｅｌｅｓｓ  Ｗｉｄｅ  Ａｒｅａ  Ｎｅｔｗｏｒｋ）の基地局であって、
前記基地局との間にインターフェイスを有するＷＬＡＮ（Ｗｉｒｅｌｅｓｓ  Ｌｏｃａｌ  Ａｒｅａ  Ｎｅｔｗｏｒｋ）終端ノードに対して、前記基地局に接続する無線端末に対するリソースの割り当てを要求する要求メッセージを送信する処理と、
前記要求メッセージに対する肯定応答メッセージを前記ＷＬＡＮ終端ノードから受信する処理と、
前記無線端末とＷＬＡＮとの間の接続処理を指示するための設定メッセージを前記無線端末に送信する処理と、を行う制御部を備え、
前記制御部は、前記無線端末と前記ＷＬＡＮとの間の接続処理の失敗を判定するためのタイマを設定するためのタイマ情報を前記設定メッセージに含める基地局。
【請求項５】
ＷＷＡＮ（Ｗｉｒｅｌｅｓｓ  Ｗｉｄｅ  Ａｒｅａ  Ｎｅｔｗｏｒｋ）の基地局であって、
前記基地局との間にインターフェイスを有するＷＬＡＮ（Ｗｉｒｅｌｅｓｓ  Ｌｏｃａｌ  Ａｒｅａ  Ｎｅｔｗｏｒｋ）終端ノードに対して、前記基地局に接続する無線端末に対するリソースの割り当てを要求する要求メッセージを送信する処理と、
前記要求メッセージに対する肯定応答メッセージを前記ＷＬＡＮ終端ノードから受信する処理と、
前記無線端末とＷＬＡＮとの間の接続処理を指示するための設定メッセージを前記無線端末に送信する処理と、
前記設定メッセージに対する設定完了メッセージを前記無線端末から受信する処理と、
前記肯定応答メッセージの受信又は前記設定完了メッセージの受信に応じて、前記無線端末と前記ＷＬＡＮとの間の接続処理の失敗を判定するためのタイマを開始させる処理と、を行う制御部を備える基地局。
【請求項６】
前記タイマの動作中に、前記接続処理が成功したことを示す確認メッセージを前記基地局が前記ＷＬＡＮ終端ノードから受信した場合、前記制御部は、前記タイマを停止させ、
前記タイマの動作中に前記基地局が前記ＷＬＡＮ終端ノードから前記確認メッセージを受信せずに、前記タイマが満了した場合、前記制御部は、前記接続処理が失敗したと判定する請求項５に記載の基地局。
【請求項７】
前記タイマの動作中に、前記接続処理が成功したことを示す成功通知を前記基地局が前記無線端末から受信した場合、前記制御部は、前記タイマを停止させ、
前記タイマの動作中に前記基地局が前記無線端末から前記成功通知を受信せずに、前記タイマが満了した場合、前記制御部は、前記接続処理が失敗したと判定する請求項５に記載の基地局。
【請求項８】
前記タイマが満了した場合、前記制御部は、第１乃至第３の処理のうち何れかの処理を行い、
前記第１の処理は、前記無線端末のためのリソースの解放を前記ＷＬＡＮ終端ノードに要求する処理であり、
前記第２の処理は、前記無線端末に対するリソースの割り当てを前記ＷＬＡＮ終端ノードとは異なるＷＬＡＮ終端ノードに要求し、かつ、前記無線端末のためのリソースの解放を前記ＷＬＡＮ終端ノードに要求する処理であり、
前記第３の処理は、前記無線端末に設定するＷＬＡＮモビリティセットを変更し、かつ、前記モビリティセットの変更を前記ＷＬＡＮ終端ノードに要求する処理である請求項６に記載の基地局。
【請求項９】
前記制御部は、
前記無線端末からＷＬＡＮ測定報告を受信する処理を行い、
前記第１乃至第３の処理のうち一の処理を、前記ＷＬＡＮ測定報告に含まれる情報に基づいて決定する請求項８に記載の基地局。
【請求項１０】
ＷＷＡＮ（Ｗｉｒｅｌｅｓｓ  Ｗｉｄｅ  Ａｒｅａ  Ｎｅｔｗｏｒｋ）の基地局との間にインターフェイスを有するＷＬＡＮ（Ｗｉｒｅｌｅｓｓ  Ｌｏｃａｌ  Ａｒｅａ  Ｎｅｔｗｏｒｋ）終端ノードであって、
前記基地局に接続する無線端末に対するリソースの割り当てを要求する要求メッセージを前記基地局から受信する処理と、
前記要求メッセージに対する肯定応答メッセージを前記基地局に送信する処理と、
前記肯定応答メッセージの送信に応じて、前記無線端末とＷＬＡＮとの間の接続処理の失敗を判定するためのタイマを開始させる処理と、を行う制御部を備えるＷＬＡＮ終端ノード。
【請求項１１】
前記タイマの動作中に前記接続処理が成功した場合、前記制御部は、前記タイマを停止させ、
前記タイマの動作中に前記接続処理が成功せずに、前記タイマが満了した場合、前記制御部は、前記接続処理が失敗したと判定する請求項１０に記載のＷＬＡＮ終端ノード。
【請求項１２】
前記タイマが満了した場合、前記制御部は、前記接続処理の失敗を示す失敗メッセージを前記基地局に送信する処理を行う請求項１１に記載のＷＬＡＮ終端ノード。
【請求項１３】
前記制御部は、前記接続処理の失敗の原因を示す情報を前記失敗メッセージに含める請求項１２に記載のＷＬＡＮ終端ノード。
【請求項１４】
ＷＷＡＮ（Ｗｉｒｅｌｅｓｓ  Ｗｉｄｅ  Ａｒｅａ  Ｎｅｔｗｏｒｋ）の基地局であって、
前記基地局との間にインターフェイスを有するＷＬＡＮ（Ｗｉｒｅｌｅｓｓ  Ｌｏｃａｌ  Ａｒｅａ  Ｎｅｔｗｏｒｋ）終端ノードに対して、前記基地局に接続する無線端末に対するリソースの割り当てを要求する要求メッセージを送信する処理と、
前記要求メッセージに対する肯定応答メッセージを前記ＷＬＡＮ終端ノードから受信する処理と、
前記無線端末とＷＬＡＮとの間の接続処理を指示するための設定メッセージを前記無線端末に送信する処理と、
前記接続処理の失敗を示す失敗メッセージを前記ＷＬＡＮ終端ノードから受信したこと、又は、前記接続処理の失敗を示す失敗通知を前記無線端末から受信したことに応じて、前記接続処理が失敗したと判定する処理と、を行う制御部を備える基地局。
【請求項１５】
前記接続処理が失敗したと判定した前記制御部は、第１乃至第３の処理のうち何れかの処理を行い、
前記第１の処理は、前記無線端末のためのリソースの解放を前記ＷＬＡＮ終端ノードに要求する処理であり、
前記第２の処理は、前記無線端末に対するリソースの割り当てを前記ＷＬＡＮ終端ノードとは異なるＷＬＡＮ終端ノードに要求し、かつ、前記無線端末のためのリソースの解放を前記ＷＬＡＮ終端ノードに要求する処理であり、
前記第３の処理は、前記無線端末に設定するＷＬＡＮモビリティセットを変更し、かつ、前記モビリティセットの変更を前記ＷＬＡＮ終端ノードに要求する処理である請求項１４に記載の基地局。
【請求項１６】
前記制御部は、
前記無線端末からＷＬＡＮ測定報告を受信する処理を行い、
前記第１乃至第３の処理のうち一の処理を、前記ＷＬＡＮ測定報告に含まれる情報に基づいて決定する請求項１５に記載の基地局。
【発明の詳細な説明】
【技術分野】
【０００１】
本発明は、ＷＬＡＮをＷＷＡＮと連携させるシステムにおける基地局、ＷＬＡＮ終端ノード、及び無線端末に関する。
【背景技術】
【０００２】
近年、ＷＷＡＮ（Ｗｉｒｅｌｅｓｓ  Ｗｉｄｅ  Ａｒｅａ  Ｎｅｔｗｏｒｋ）通信及びＷＬＡＮ（Ｗｉｒｅｌｅｓｓ  Ｌｏｃａｌ  Ａｒｅａ  Ｎｅｔｗｏｒｋ）通信の両通信方式に対応した無線端末の普及が進んでいる。【０００３】
そのような無線端末に対して高速・大容量の通信サービスを提供するために、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において、ＷＷＡＮとＷＬＡＮとの間の連携を強化させるための技術が検討されている。【０００４】
そのような技術の１つとして、ＷＷＡＮの基地局が、自身に接続する無線端末に対して、ＷＬＡＮとの接続処理を指示するための設定メッセージを送信する方法が検討されている。無線端末とＷＬＡＮとの間の接続処理は、「ａｓｓｏｃｉａｔｉｏｎ」と称されることがある。
【先行技術文献】
【非特許文献】
【０００５】
【非特許文献１】３ＧＰＰ技術仕様書  「ＴＳ  ３６．３００  Ｖ１３．１．０」  ２０１５年９月
【発明の概要】
【０００６】
第１の側面に係る無線端末は、ＷＷＡＮの基地局に接続する。前記無線端末は、前記無線端末とＷＬＡＮとの間の接続処理を指示するための設定メッセージを前記基地局から受信する処理と、前記設定メッセージに含まれる、前記無線端末と前記ＷＬＡＮとの間の接続処理の失敗を判定するためのタイマを設定するためのタイマ情報を受信する処理と、前記タイマ情報に基づくタイマを開始させる処理と、前記タイマが満了した場合、前記接続処理が失敗したと判定する処理と、前記接続処理の失敗を示す失敗メッセージを前記基地局に送信する処理と、を行う制御部を備える。
【０００７】
第２の側面に係る基地局は、ＷＷＡＮの基地局である。前記基地局は、前記基地局との間にインターフェイスを有するＷＬＡＮ終端ノードに対して、前記基地局に接続する無線端末に対するリソースの割り当てを要求する要求メッセージを送信する処理と、前記要求メッセージに対する肯定応答メッセージを前記ＷＬＡＮ終端ノードから受信する処理と、前記無線端末とＷＬＡＮとの間の接続処理を指示するための設定メッセージを前記無線端末に送信する処理と、を行う制御部を備える。前記制御部は、前記無線端末と前記ＷＬＡＮとの間の接続処理の失敗を判定するためのタイマを設定するためのタイマ情報を前記設定メッセージに含める。
【０００８】
第３の側面に係る基地局は、ＷＷＡＮの基地局である。前記基地局は、前記基地局との間にインターフェイスを有するＷＬＡＮ終端ノードに対して、前記基地局に接続する無線端末に対するリソースの割り当てを要求する要求メッセージを送信する処理と、前記要求メッセージに対する肯定応答メッセージを前記ＷＬＡＮ終端ノードから受信する処理と、前記無線端末とＷＬＡＮとの間の接続処理を指示するための設定メッセージを前記無線端末に送信する処理と、前記設定メッセージに対する設定完了メッセージを前記無線端末から受信する処理と、前記肯定応答メッセージの受信又は前記設定完了メッセージの受信に応じて、前記無線端末と前記ＷＬＡＮとの間の接続処理の失敗を判定するためのタイマを開始させる処理と、を行う制御部を備える。
【０００９】
第４の側面に係るＷＬＡＮ終端ノードは、ＷＷＡＮの基地局との間にインターフェイスを有する。前記ＷＬＡＮ終端ノードは、前記基地局に接続する無線端末に対するリソースの割り当てを要求する要求メッセージを前記基地局から受信する処理と、前記要求メッセージに対する肯定応答メッセージを前記基地局に送信する処理と、前記肯定応答メッセージの送信に応じて、前記無線端末とＷＬＡＮとの間の接続処理の失敗を判定するためのタイマを開始させる処理と、を行う制御部を備える。
【００１０】
第５の側面に係る基地局は、ＷＷＡＮの基地局である。前記基地局は、前記基地局との間にインターフェイスを有するＷＬＡＮ終端ノードに対して、前記基地局に接続する無線端末に対するリソースの割り当てを要求する要求メッセージを送信する処理と、前記要求メッセージに対する肯定応答メッセージを前記ＷＬＡＮ終端ノードから受信する処理と、前記無線端末とＷＬＡＮとの間の接続処理を指示するための設定メッセージを前記無線端末に送信する処理と、前記接続処理の失敗を示す失敗メッセージを前記ＷＬＡＮ終端ノードから受信したこと、又は、前記接続処理の失敗を示す失敗通知を前記無線端末から受信したことに応じて、前記接続処理が失敗したと判定する処理と、を行う制御部を備える。
【図面の簡単な説明】
【００１１】
【図１】実施形態に係る全体システム構成を示す図である。
【図２】実施形態に係るネットワークインターフェイスを示す図である。
【図３】無線インターフェイスのプロトコルスタック図である。
【図４】ＵＥ（無線端末）のブロック図である。
【図５】ｅＮＢ（基地局）のブロック図である。
【図６】ＷＴ（ＷＬＡＮ終端ノード）のブロック図である。
【図７】ＬＷＡの無線プロトコル構成を示す図である。
【図８】ＷＴ追加手順（ＷＴ  Ａｄｄｉｔｉｏｎ  ｐｒｏｃｅｄｕｒｅ）を示す図である。
【図９】第１実施形態に係るｅＮＢの動作パターン１を示すフロー図である。
【図１０】第１実施形態に係るｅＮＢの動作パターン２を示すフロー図である。
【図１１】第２実施形態に係るＵＥの動作を示すフロー図である。
【図１２】第２実施形態に係るｅＮＢの動作を示すフロー図である。
【図１３】第３実施形態に係るＷＴの動作を示すフロー図である。
【図１４】第４実施形態に係るＵＥの動作を示すフロー図である。
【発明を実施するための形態】
【００１２】
［実施形態の概要］
実施形態に係る無線端末は、ＷＷＡＮの基地局に接続する。前記無線端末は、前記無線端末とＷＬＡＮとの間の接続処理を指示するための設定メッセージを前記基地局から受信する処理と、前記設定メッセージに含まれる、前記無線端末と前記ＷＬＡＮとの間の接続処理の失敗を判定するためのタイマを設定するためのタイマ情報を受信する処理と、前記タイマ情報に基づくタイマを開始させる処理と、前記タイマが満了した場合、前記接続処理が失敗したと判定する処理と、前記接続処理の失敗を示す失敗メッセージを前記基地局に送信する処理と、を行う制御部を備える。
【００１３】
実施形態において、前記制御部は、前記タイマの動作中に前記接続処理が成功した場合、前記タイマを停止させる。
【００１４】
実施形態において、前記制御部は、前記タイマの動作中に前記接続処理が成功した場合、前記接続処理の成功を示す成功通知を前記基地局に送信する。
【００１５】
実施形態に係る基地局は、ＷＷＡＮの基地局である。前記基地局は、前記基地局との間にインターフェイスを有するＷＬＡＮ終端ノードに対して、前記基地局に接続する無線端末に対するリソースの割り当てを要求する要求メッセージを送信する処理と、前記要求メッセージに対する肯定応答メッセージを前記ＷＬＡＮ終端ノードから受信する処理と、前記無線端末とＷＬＡＮとの間の接続処理を指示するための設定メッセージを前記無線端末に送信する処理と、を行う制御部を備える。前記制御部は、前記無線端末と前記ＷＬＡＮとの間の接続処理の失敗を判定するためのタイマを設定するためのタイマ情報を前記設定メッセージに含める。
【００１６】
実施形態に係る基地局は、ＷＷＡＮの基地局である。前記基地局は、前記基地局との間にインターフェイスを有するＷＬＡＮ終端ノードに対して、前記基地局に接続する無線端末に対するリソースの割り当てを要求する要求メッセージを送信する処理と、前記要求メッセージに対する肯定応答メッセージを前記ＷＬＡＮ終端ノードから受信する処理と、前記無線端末とＷＬＡＮとの間の接続処理を指示するための設定メッセージを前記無線端末に送信する処理と、前記設定メッセージに対する設定完了メッセージを前記無線端末から受信する処理と、前記肯定応答メッセージの受信又は前記設定完了メッセージの受信に応じて、前記無線端末と前記ＷＬＡＮとの間の接続処理の失敗を判定するためのタイマを開始させる処理と、を行う制御部を備える。
【００１７】
実施形態において、前記タイマの動作中に、前記接続処理が成功したことを示す確認メッセージを前記基地局が前記ＷＬＡＮ終端ノードから受信した場合、前記制御部は、前記タイマを停止させる。前記タイマの動作中に前記基地局が前記ＷＬＡＮ終端ノードから前記確認メッセージを受信せずに、前記タイマが満了した場合、前記制御部は、前記接続処理が失敗したと判定する。
【００１８】
実施形態において、前記タイマの動作中に、前記接続処理が成功したことを示す成功通知を前記基地局が前記無線端末から受信した場合、前記制御部は、前記タイマを停止させる。前記タイマの動作中に前記基地局が前記無線端末から前記成功通知を受信せずに、前記タイマが満了した場合、前記制御部は、前記接続処理が失敗したと判定する。
【００１９】
実施形態において、前記タイマが満了した場合、前記制御部は、第１乃至第３の処理のうち何れかの処理を行う。前記第１の処理は、前記無線端末のためのリソースの解放を前記ＷＬＡＮ終端ノードに要求する処理である。前記第２の処理は、前記無線端末に対するリソースの割り当てを前記ＷＬＡＮ終端ノードとは異なるＷＬＡＮ終端ノードに要求し、かつ、前記無線端末のためのリソースの解放を前記ＷＬＡＮ終端ノードに要求する処理である。前記第３の処理は、前記無線端末に設定するＷＬＡＮモビリティセットを変更し、かつ、前記モビリティセットの変更を前記ＷＬＡＮ終端ノードに要求する処理である。
【００２０】
実施形態において、前記制御部は、前記無線端末からＷＬＡＮ測定報告を受信する処理を行い、前記第１乃至第３の処理のうち一の処理を、前記ＷＬＡＮ測定報告に含まれる情報に基づいて決定する。
【００２１】
実施形態に係るＷＬＡＮ終端ノードは、ＷＷＡＮの基地局との間にインターフェイスを有する。前記ＷＬＡＮ終端ノードは、前記基地局に接続する無線端末に対するリソースの割り当てを要求する要求メッセージを前記基地局から受信する処理と、前記要求メッセージに対する肯定応答メッセージを前記基地局に送信する処理と、前記肯定応答メッセージの送信に応じて、前記無線端末とＷＬＡＮとの間の接続処理の失敗を判定するためのタイマを開始させる処理と、を行う制御部を備える。
【００２２】
実施形態において、前記タイマの動作中に前記接続処理が成功した場合、前記制御部は、前記タイマを停止させる。前記タイマの動作中に前記接続処理が成功せずに、前記タイマが満了した場合、前記制御部は、前記接続処理が失敗したと判定する。
【００２３】
実施形態において、前記タイマが満了した場合、前記制御部は、前記接続処理の失敗を示す失敗メッセージを前記基地局に送信する処理を行う。
【００２４】
実施形態において、前記制御部は、前記接続処理の失敗の原因を示す情報を前記失敗メッセージに含める。
【００２５】
実施形態に係る基地局は、ＷＷＡＮの基地局である。前記基地局は、前記基地局との間にインターフェイスを有するＷＬＡＮ終端ノードに対して、前記基地局に接続する無線端末に対するリソースの割り当てを要求する要求メッセージを送信する処理と、前記要求メッセージに対する肯定応答メッセージを前記ＷＬＡＮ終端ノードから受信する処理と、前記無線端末とＷＬＡＮとの間の接続処理を指示するための設定メッセージを前記無線端末に送信する処理と、前記接続処理の失敗を示す失敗メッセージを前記ＷＬＡＮ終端ノードから受信したこと、又は、前記接続処理の失敗を示す失敗通知を前記無線端末から受信したことに応じて、前記接続処理が失敗したと判定する処理と、を行う制御部を備える。
【００２６】
実施形態において、前記接続処理が失敗したと判定した前記制御部は、第１乃至第３の処理のうち何れかの処理を行う。前記第１の処理は、前記無線端末のためのリソースの解放を前記ＷＬＡＮ終端ノードに要求する処理である。前記第２の処理は、前記無線端末に対するリソースの割り当てを前記ＷＬＡＮ終端ノードとは異なるＷＬＡＮ終端ノードに要求し、かつ、前記無線端末のためのリソースの解放を前記ＷＬＡＮ終端ノードに要求する処理である。前記第３の処理は、前記無線端末に設定するＷＬＡＮモビリティセットを変更し、かつ、前記モビリティセットの変更を前記ＷＬＡＮ終端ノードに要求する処理である。
【００２７】
実施形態において、前記制御部は、前記無線端末からＷＬＡＮ測定報告を受信する処理を行い、前記第１乃至第３の処理のうち一の処理を、前記ＷＬＡＮ測定報告に含まれる情報に基づいて決定する。
【００２８】
［実施形態に係るシステム構成］
以下において、実施形態に係るシステム構成について説明する。実施形態において、ＷＷＡＮシステムが、３ＧＰＰにおいて仕様が策定されているＬＴＥ（Ｌｏｎｇ  Ｔｅｒｍ  Ｅｖｏｌｕｔｉｏｎ）システムである一例を説明する。
【００２９】
（１）全体システム構成
図１は、実施形態に係る全体システム構成を示す図である。図２は、実施形態に係るネットワークインターフェイスを示す図である。
【００３０】
図１に示すように、実施形態に係るシステムは、ＵＥ（Ｕｓｅｒ  Ｅｑｕｉｐｍｅｎｔ）１００、ｅＮＢ（Ｅ−ＵＴＲＡＮ  ＮｏｄｅＢ）２００、ＷＬＡＮ  ＡＰ（ＷＬＡＮ  Ａｃｃｅｓｓ  Ｐｏｉｎｔ）３００、ＷＴ（ＷＬＡＮ  Ｔｅｒｍｉｎａｔｉｏｎ）４００、及びＥＰＣ（Ｅｖｏｌｖｅｄ  Ｐａｃｋｅｔ  Ｃｏｒｅ）５００を備える。ＵＥ１００は、無線端末に相当する。ｅＮＢ２００は、ＷＷＡＮ基地局に相当する。ＷＴ４００は、ＷＬＡＮ終端ノードに相当する。ｅＮＢ２００及びＥＰＣ５００は、ＷＷＡＮ（ＬＴＥネットワーク）１０を構成する。ＷＬＡＮ  ＡＰ３００及びＷＴ４００は、ＷＬＡＮ２０を構成する。
【００３１】
ＵＥ１００は、ＬＴＥ通信及びＷＬＡＮ通信の両通信方式に対応する。ＵＥ１００は、移動型の装置である。ＵＥ１００は、ＬＴＥ／ＷＬＡＮアグリゲーション（ＬＷＡ）をサポートする。ＵＥ１００の構成及びＬＷＡは後述する。
【００３２】
ｅＮＢ２００は、１又は複数のセルを管理する。ｅＮＢ２００は、自セルに接続したＵＥ１００とのＬＴＥ通信を行う装置である。
【００３３】
ｅＮＢ２００は、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）を構成する。ｅＮＢ２００は、Ｘ２インターフェイスを介して隣接ｅＮＢと接続される。ｅＮＢ２００は、無線リソース管理（ＲＲＭ）機能、ユーザデータ（以下、単に「データ」という）のルーティング機能、モビリティ制御・スケジューリングのための測定制御機能等を有する。ｅＮＢ２００の構成は後述する。「セル」は、無線通信エリア（カバレッジ）の最小単位を示す用語として用いられる。「セル」は、ＵＥ１００との無線通信を行う機能を示す用語としても用いられる。
【００３４】
ＷＬＡＮ  ＡＰ３００は、自ＡＰに接続したＵＥ１００とのＷＬＡＮ通信を行う装置である。図１において、ｅＮＢ２００のセルカバレッジ内に４つのＷＬＡＮ  ＡＰ３００−１乃至３００−４が設けられる一例を示している。ｅＮＢ２００がＷＬＡＮ  ＡＰの機能を有していてもよい。そのようなシナリオは、Ｃｏｌｌｏｃａｔｅｄシナリオと称される。
【００３５】
ＷＴ４００は、ｅＮＢ２００とのインターフェイスであるＸｗインターフェイスを終端する装置である。図２に示すように、ｅＮＢ２００は、Ｘｗインターフェイスを介してＷＴ４００と接続される。ＬＷＡにおいて、ＥＰＣ５００（コアネットワーク）とのインターフェイスとしては、Ｓ１インターフェイスのみが必要とされる。すなわち、ＷＬＡＮ２０とＥＰＣ５００（コアネットワーク）との間のインターフェイスは必要とされない。ＷＴ４００は、１又は複数のＷＬＡＮ  ＡＰ３００を収容する。図１において、ＷＴ４００−１が２つのＷＬＡＮ  ＡＰ３００−１及び３００−２を収容し、かつ、ＷＴ４００−２が２つのＷＬＡＮ  ＡＰ３００−３及び３００−４を収容する一例を示している。
【００３６】
ＷＬＡＮ  ＡＰ３００−１及び３００−２は、ＷＬＡＮモビリティセットＡを構成する。ＷＬＡＮ  ＡＰ３００−３及び３００−４は、ＷＬＡＮモビリティセットＢを構成する。ＷＬＡＮモビリティセットとは、ＬＷＡが適用されるＵＥ１００が、ｅＮＢ２００の制御に依存せずにＷＬＡＮ  ＡＰ３００間の切り替え制御を行うことができるＷＬＡＮ  ＡＰグループである。ＵＥ１００は、ＷＬＡＮモビリティ制御機能を用いて、ｅＮＢ２００に透過的に、同一のＷＬＡＮモビリティセット内の一のＷＬＡＮ  ＡＰから他のＷＬＡＮ  ＡＰへＷＬＡＮ通信を切り替えることができる。
【００３７】
ｅＮＢ２００は、ＷＬＡＮモビリティセットをＵＥ１００に通知する。ＵＥ１００は、ある時点で１つのＷＬＡＮモビリティセットにのみ接続することができる。ＵＥ１００の現在のＷＬＡＮモビリティセットに属しないＷＬＡＮ  ＡＰ３００へのモビリティは、例えばＵＥ１００が提供する測定報告（ＷＬＡＮ測定報告）に基づいて、ｅＮＢ２００により制御される。１つのＷＬＡＮモビリティセットに属する全てのＷＬＡＮ  ＡＰ３００は、同一のＷＴ４００を共有する。１つのＷＬＡＮモビリティセットに属する全てのＷＬＡＮ識別子は、１つのＷＴ４００に対応する全てのＷＬＡＮ識別子のうちの一部であってもよい。ＷＬＡＮ識別子は、例えばＢＳＳＩＤ（Ｂａｓｉｃ  Ｓｅｒｖｉｃｅ  Ｓｅｔ  Ｉｄｅｎｔｉｆｉｅｒ）、ＨＥＳＳＩＤ（Ｈｏｍｏｇｅｎｏｕｓ  Ｅｘｔｅｎｄｅｄ  Ｓｅｒｖｉｃｅ  Ｓｅｔ  Ｉｄｅｎｔｉｆｉｅｒ）、ＳＳＩＤ（Ｓｅｒｖｉｃｅ  Ｓｅｔ  Ｉｄｅｎｔｉｆｉｅｒ）である。
【００３８】
ＥＰＣ５００は、Ｓ１インターフェイスを介してｅＮＢ２００と接続される。ＥＰＣ５００は、コアネットワークに相当する。図２に示すように、ＥＰＣ５００は、ＭＭＥ（Ｍｏｂｉｌｉｔｙ  Ｍａｎａｇｅｍｅｎｔ  Ｅｎｔｉｔｙ）５００Ｃ及びＳ−ＧＷ（Ｓｅｒｖｉｎｇ−Ｇａｔｅｗａｙ）５００Ｕを含む。ＭＭＥ５００Ｃは、ＵＥ１００に対する各種モビリティ制御等を行う。Ｓ−ＧＷ５００Ｕは、データの転送制御を行う。
【００３９】
（２）無線インターフェイス
図３は、無線インターフェイスのプロトコルスタック図である。図３に示すように、無線インターフェイスプロトコルは、ＯＳＩ参照モデルの第１層乃至第３層に区分されている。第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４０】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００４１】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、スケジューラを含む。スケジューラは、上下リンクのトランスポートフォーマット（トランスポートブロックサイズ、変調・符号化方式（ＭＣＳ））及びＵＥ１００への割当リソースブロックを決定する。
【００４２】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００４３】
ＰＤＣＰ層は、ヘッダ圧縮・伸張、及び暗号化・復号化を行う。
【００４４】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）である。ＵＥ１００のＲＲＣとｅＮＢ２００のＲＲＣとの間に接続がない場合、ＵＥ１００はＲＲＣアイドルモード（アイドルモード）である。
【００４５】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００４６】
（３）無線端末の構成
図４は、ＵＥ１００（無線端末）のブロック図である。図４に示すように、ＵＥ１００は、ＬＴＥ通信部１１０、ＷＬＡＮ通信部１２０、及び制御部１３０を備える。
【００４７】
ＬＴＥ通信部１１０は、制御部１３０の制御下でＬＴＥ通信を行う。ＬＴＥ通信部１１０は、ＬＴＥプロトコルの一部を実行してもよい。ＬＴＥ通信部１１０は、アンテナ、送信機、及び受信機を含む。送信機は、制御部１３０が出力するベースバンド信号（送信信号）をＬＴＥ無線信号に変換する。送信機は、ＬＴＥ無線信号をアンテナから送信する。受信機は、アンテナが受信するＬＴＥ無線信号をベースバンド信号（受信信号）に変換する。受信機はベースバンド信号を制御部１３０に出力する。ＬＴＥ通信は、ライセンスバンドにおいて行われることが一般的である。
【００４８】
ＷＬＡＮ通信部１２０は、制御部１３０の制御下でＷＬＡＮ通信を行う。ＷＬＡＮ通信部１２０は、ＷＬＡＮプロトコルの一部を実行してもよい。ＷＬＡＮ通信部１２０は、アンテナ、送信機、及び受信機を含む。送信機は、制御部１３０が出力するベースバンド信号（送信信号）をＷＬＡＮ無線信号に変換する。送信機は、ＷＬＡＮ無線信号をアンテナから送信する。受信機は、アンテナが受信するＷＬＡＮ無線信号をベースバンド信号（受信信号）に変換する。受信機は、ベースバンド信号を制御部１３０に出力する。ＷＬＡＮ通信は、アンライセンスバンドにおいて行われることが一般的である。
【００４９】
制御部１３０は、ＵＥ１００における各種の制御を行う。制御部１３０は、ＬＴＥプロトコルの一部を実行してもよいし、ＷＬＡＮプロトコルの一部を実行してもよい。制御部１３０は、プロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する各種の処理を実行する。
【００５０】
（４）基地局の構成
図５は、ｅＮＢ２００（基地局）のブロック図である。図５に示すように、ｅＮＢ２００は、ＬＴＥ通信部（ＷＷＡＮ通信部）２１０、制御部２３０、及びネットワーク通信部２４０を備える。但し、Ｃｏｌｌｏｃａｔｅｄシナリオの場合、ｅＮＢ２００は、ＷＬＡＮ通信部２２０を備えていてもよい。
【００５１】
ＬＴＥ通信部２１０は、制御部２３０の制御下でＬＴＥ通信を行う。ＬＴＥ通信部２１０は、ＬＴＥプロトコルの一部を実行してもよい。ＬＴＥ通信部２１０は、アンテナ、送信機、及び受信機を含む。送信機は、制御部２３０が出力するベースバンド信号（送信信号）をＬＴＥ無線信号に変換する。送信機は、ＬＴＥ無線信号をアンテナから送信する。受信機は、アンテナが受信するＬＴＥ無線信号をベースバンド信号（受信信号）に変換する。受信機は、ベースバンド信号を制御部２３０に出力する。
【００５２】
ＷＬＡＮ通信部２２０は、制御部２３０の制御下でＷＬＡＮ通信を行う。ＷＬＡＮ通信部２２０は、ＷＬＡＮプロトコルの一部を実行してもよい。ＷＬＡＮ通信部２２０は、アンテナ、送信機、及び受信機を含む。送信機は、制御部２３０が出力するベースバンド信号（送信信号）をＷＬＡＮ無線信号に変換する。送信機は、ＷＬＡＮ無線信号をアンテナから送信する。受信機は、アンテナが受信するＷＬＡＮ無線信号をベースバンド信号（受信信号）に変換する。受信機は、ベースバンド信号を制御部２３０に出力する。
【００５３】
制御部２３０は、ｅＮＢ２００における各種の制御を行う。制御部２３０は、ＬＴＥプロトコルの一部を実行してもよいし、ＷＬＡＮプロトコルの一部を実行してもよい。制御部２３０は、プロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行うＣＰＵと、を含んでもよい。プロセッサは、後述する各種の処理を実行する。
【００５４】
ネットワーク通信部２４０は、Ｘ２インターフェイスを介して隣接ｅＮＢ２００と接続される。ネットワーク通信部２４０は、Ｓ１インターフェイスを介してＥＰＣ５００（ＭＭＥ／Ｓ−ＧＷ）と接続される。ネットワーク通信部２４０は、Ｘｗインターフェイスを介してＷＴ４００と接続される。ネットワーク通信部２４０は、Ｘ２インターフェイスを介して行う通信、Ｓ１インターフェイスを介して行う通信、Ｘｗインターフェイスを介して行う通信等に用いられる。
【００５５】
（５）ＷＬＡＮ終端ノードの構成
図６は、ＷＴ４００（ＷＬＡＮ終端ノード）のブロック図である。図６に示すように、ＷＴ４００は、制御部４１０及びネットワーク通信部４２０を備える。
【００５６】
制御部４１０は、ＷＴ４００における各種の制御を行う。制御部４１０は、プロセッサ及びメモリを含む。メモリは、プロセッサにより実行されるプログラム、及びプロセッサによる処理に用いられる情報を記憶する。プロセッサは、メモリに記憶されるプログラムを実行して各種の処理を行うＣＰＵを含んでもよい。プロセッサは、後述する各種の処理を実行する。
【００５７】
ネットワーク通信部４２０は、Ｘｗインターフェイスを介してｅＮＢ２００と接続される。ネットワーク通信部４２０は、ＷＬＡＮ２０におけるインターフェイスを介してＷＬＡＮ  ＡＰ３００に接続される。ネットワーク通信部４２０は、Ｘｗインターフェイスを介して行う通信等に用いられる。
【００５８】
［ＬＷＡの概要］
ＬＷＡの概要について説明する。
【００５９】
（１）無線プロトコル構成
図７は、ＬＷＡの無線プロトコル構成を示す図である。ここでは、下りリンクのＬＷＡを説明するが、上りリンクにもＬＷＡを適用可能である。ＬＷＡにおいて、ＲＲＣコネクティッドモードのＵＥ１００は、ＬＴＥ無線リソース及びＷＬＡＮ無線リソースを利用するようｅＮＢ２００により設定される。ＬＷＡにおいて、ｅＮＢリソース及びＷＬＡＮリソースの両方を利用するように、対応する無線プロトコルがｅＮＢ２００及びＷＬＡＮ２０の両方に存在するベアラは「ＬＷＡベアラ」と称されることがある。
【００６０】
図７に示すように、ＵＥ１００の１つのベアラ（ＭＣＧ  Ｂｅａｒｅｒ）のデータは、ｅＮＢ２００からＵＥ１００に送信される。ＵＥ１００の他のベアラ（Ｓｐｌｉｔ  Ｂｅａｒｅｒ、Ｓｗｉｔｃｈｅｄ  Ｂｅａｒｅｒ）のデータの少なくとも一部は、ｅＮＢ２００からＷＴ４００（ＷＬＡＮ２０）を経由してＵＥ１００に送信される。当該他のベアラは、ＬＷＡベアラに相当する。Ｓｐｌｉｔ  Ｂｅａｒｅｒ及びＳｗｉｔｃｈｅｄ  Ｂｅａｒｅｒは、何れか一方のみであってもよい。
【００６１】
ｅＮＢ２００は、ＭＣＧ  Ｂｅａｒｅｒに対応するＰＤＣＰエンティティ及びＲＬＣエンティティを備える。ＰＤＣＰエンティティは、Ｓ−ＧＷ５００ＵからＳ１インターフェイスを介して転送されるデータ（ＰＤＣＰ  ＳＤＵ）を処理する。ＰＤＣＰエンティティは、処理後のデータ（ＰＤＣＰ  ＰＤＵ）をＲＬＣエンティティに引き渡す。ＲＬＣエンティティは、ＰＤＣＰエンティティからのデータをＲＬＣ  ＳＤＵとして取得する。ＲＬＣエンティティは、処理後のデータ（ＲＬＣ  ＰＤＵ）をＬＴＥ  ＭＡＣエンティティに引き渡す。ＬＴＥ  ＭＡＣエンティティは、ＲＬＣエンティティからのデータをＭＡＣ  ＳＤＵとして取得する。ＬＴＥ  ＭＡＣエンティティは、処理後のデータ（ＭＡＣ  ＰＤＵ）を物理層のエンティティ（不図示）を介してＵＥ１００に送信する。
【００６２】
ｅＮＢ２００は、Ｓｐｌｉｔ  Ｂｅａｒｅｒに対応するＰＤＣＰエンティティ、ＲＬＣエンティティ、及び「ＤＲＢ  ＩＤ  Ａｄｄｉｔｏｎ」を備えてもよい。ＰＤＣＰエンティティは、Ｓ−ＧＷ５００ＵからＳ１インターフェイスを介して転送されるデータ（ＰＤＣＰ  ＳＤＵ）を処理する。ＰＤＣＰエンティティは、処理後のデータ（ＰＤＣＰ  ＰＤＵ）の少なくとも一部をＬＷＡ  ＰＤＵとして「ＤＲＢ  ＩＤ  Ａｄｄｉｔｏｎ」に引き渡す。「ＤＲＢ  ＩＤ  Ａｄｄｉｔｏｎ」は、ＤＲＢ（Ｄａｔａ  Ｒａｄｉｏ  Ｂｅａｒｅｒ）の識別子をＬＷＡ  ＰＤＵに付加し、Ｘｗインターフェイスを介してＷＴ４００に転送する。残りのＰＤＣＰ  ＰＤＵは、ＲＬＣエンティティに引き渡され、ＭＣＧ  Ｂｅａｒｅｒと同様の処理を経てＵＥ１００に送信される。
【００６３】
ｅＮＢ２００は、Ｓｗｉｔｃｈｅｄ  Ｂｅａｒｅｒに対応するＰＤＣＰエンティティ及び「ＤＲＢ  ＩＤ  Ａｄｄｉｔｏｎ」を備えてもよい。ＰＤＣＰエンティティは、Ｓ−ＧＷ５００ＵからＳ１インターフェイスを介して転送されるデータ（ＰＤＣＰ  ＳＤＵ）を処理する。ＰＤＣＰエンティティは、処理後のデータ（ＰＤＣＰ  ＰＤＵ）をＬＷＡ  ＰＤＵとして「ＤＲＢ  ＩＤ  Ａｄｄｉｔｏｎ」に引き渡す。「ＤＲＢ  ＩＤ  Ａｄｄｉｔｏｎ」は、ＤＲＢの識別子をＬＷＡ  ＰＤＵに付加し、Ｘｗインターフェイスを介してＷＴ４００に転送する。
【００６４】
（２）ＷＴ追加手順
図８は、ＷＴ追加手順（ＷＴ  Ａｄｄｉｔｉｏｎ  ｐｒｏｃｅｄｕｒｅ）を示す図である。ＷＴ追加手順は、ＷＬＡＮリソースをＵＥ１００に提供するために、ＷＴ４００にＵＥコンテキストを確立するようｅＮＢ２００により始動される。
【００６５】
ステップＳ１１において、ｅＮＢ２００は、ＵＥ１００のＬＷＡの無線アクセス能力の報告をＵＥ１００に要求する（ＵＥ  Ｃａｐａｂｉｌｉｔｙ  Ｅｎｑｕｉｒｙ）。
【００６６】
ステップＳ１２において、ＵＥ１００は、サポートするＷＬＡＮのバンドを含むＬＷＡ能力（ＵＥ  Ｃａｐａｂｉｌｉｔｙ  Ｉｎｆｏｒｍａｔｉｏｎ）をｅＮＢ２００に報告する。
【００６７】
ステップＳ１３において、ｅＮＢ２００は、ＵＥ１００にＷＬＡＮ測定報告を設定する。このような設定は、ＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」メッセージにより行われる。
【００６８】
ステップＳ１４において、ＵＥ１００は、測定設定を適用し、「ＲＲＣ  Ｃｏｎｎｅｃｔｉｏｎ  Ｒｅｃｏｎｆｉｇｕｒａｔｉｏｎ  Ｃｏｍｐｌｅｔｅ」メッセージをｅＮＢ２００に送信する。
【００６９】
ステップＳ１５において、ＵＥ１００は、測定設定に基づいてＷＬＡＮ情報を取得する。
【００７０】
ステップＳ１６において、ＵＥ１００は、ＷＬＡＮ２０（ＷＬＡＮ  ＡＰ３００）に対する測定結果を含む測定報告（Ｍｅａｓｕｒｅｍｅｎｔ  Ｒｅｐｏｒｔ）をｅＮＢ２００に送信する。以下において、このような測定報告を「ＷＬＡＮ測定報告」と称する。ＷＬＡＮ測定報告は、測定が行われたＷＬＡＮ識別子及びＷＬＡＮメトリック値を含む。ＷＬＡＮメトリック値は、例えば、ＷＬＡＮチャネル利用（ＢＳＳ  ｌｏａｄ）、ＷＬＡＮバックホールデータレート、ＷＬＡＮ信号強度（Ｂｅａｃｏｎ  ＲＳＳＩ）等である。
【００７１】
ステップＳ１７において、ｅＮＢ２００は、ＷＬＡＮ測定報告に基づいて、ＵＥ１００のベアラに対してＷＬＡＮリソースを割り当てるようＷＴ４００に要求することを決定する。ｅＮＢ２００は、Ｘｗインターフェイスを介して「ＷＴ  Ａｄｄｉｔｉｏｎ  Ｒｅｑｕｅｓｔ」メッセージをＷＴ４００に送信する。追加要求（ＷＴ  Ａｄｄｉｔｉｏｎ  Ｒｅｑｕｅｓｔ）は、ＵＥ１００のコンテキスト情報（ＵＥ  Ｃｏｎｔｅｘｔ）を含む。
【００７２】
ステップＳ１８において、ＷＴ４００は、ＷＬＡＮリソース要求を承認することができる場合、Ｘｗインターフェイスを介して「ＷＴ  Ａｄｄｉｔｉｏｎ  Ｒｅｑｕｅｓｔ  Ａｃｋｎｏｗｌｅｄｇｅ」メッセージをｅＮＢ２００に送信する。
【００７３】
ステップＳ１９において、ｅＮＢ２００は、新たな無線リソース設定を含む「ＲＲＣ  Ｃｏｎｎｅｃｔｉｏｎ  Ｒｅｃｏｎｆｉｇｕｒａｔｉｏｎ」メッセージをＵＥ１００に送信する。
【００７４】
ステップＳ２０において、ＵＥ１００は、新たな無線リソース設定を適用し、「ＲＲＣ  Ｃｏｎｎｅｃｔｉｏｎ  Ｒｅｃｏｎｆｉｇｕｒａｔｉｏｎ  Ｃｏｍｐｌｅｔｅ」メッセージをｅＮＢ２００に送信する。
【００７５】
ステップＳ２１において、ＵＥ１００は、ＷＬＡＮ２０との接続処理（ａｓｓｏｃｉａｔｉｏｎ）を行う。以下において、ＵＥ１００とＷＬＡＮ２０との間の接続処理（ａｓｓｏｃｉａｔｉｏｎ）を「ＷＬＡＮ  ａｓｓｏｃｉａｔｉｏｎ」と称する。
【００７６】
ステップＳ２２において、ＷＬＡＮ２０は、ＵＥ１００とｅＮＢ２００との間のＷＬＡＮ  ａｓｓｏｃｉａｔｉｏｎが成功したことを示す「ＷＴ  Ａｓｓｏｃｉａｔｉｏｎ  Ｃｏｎｆｉｒｍａｔｉｏｎ」メッセージを、Ｘｗインターフェイスを介してｅＮＢ２００に送信する。
【００７７】
［第１実施形態］
第１実施形態について説明する。
【００７８】
上述したＷＴ追加手順において、ＵＥ１００とＷＬＡＮ２０との間のＷＬＡＮ  ａｓｓｏｃｉａｔｉｏｎは必ずしも成功するとは限らない。しかしながら、現状、ＷＬＡＮ  ａｓｓｏｃｉａｔｉｏｎが失敗した場合の挙動について検討されておらず、ＷＬＡＮ  ａｓｓｏｃｉａｔｉｏｎの失敗をどのようにして判定するのか不明確である。特に、ＷＬＡＮ  ａｓｓｏｃｉａｔｉｏｎが失敗した場合にはＷＬＡＮ２０が「ＷＴ  Ａｓｓｏｃｉａｔｉｏｎ  Ｃｏｎｆｉｒｍａｔｉｏｎ」メッセージを送信しないにもかかわらず、ｅＮＢ２００は、「ＷＴ  Ａｓｓｏｃｉａｔｉｏｎ  Ｃｏｎｆｉｒｍａｔｉｏｎ」メッセージを待ち続けてしまう虞がある。
【００７９】
（１）第１実施形態に係る基地局
第１実施形態に係るｅＮＢ２００（基地局）の制御部２３０（図５参照）は、図８に示すように、ｅＮＢ２００との間にＸｗインターフェイスを有するＷＴ４００に対して、ｅＮＢ２００に接続するＵＥ１００に対するリソースの割り当てを要求する要求メッセージを送信する処理（ステップＳ１７：ＷＴ  Ａｄｄｉｔｉｏｎ  Ｒｅｑｕｅｓｔ）と、要求メッセージに対する肯定応答メッセージをＷＴ４００から受信する処理（ステップＳ１８：ＷＴ  Ａｄｄｉｔｉｏｎ  Ｒｅｑｕｅｓｔ  Ａｃｋｎｏｗｌｅｄｇｅ）と、ＷＬＡＮ  ａｓｓｏｃｉａｔｉｏｎを指示するための設定メッセージをＵＥ１００に送信する処理（ステップＳ１９：ＲＲＣ  Ｃｏｎｎｅｃｔｉｏｎ  Ｒｅｃｏｎｆｉｇｕｒａｔｉｏｎ）と、設定メッセージに対する設定完了メッセージをＵＥ１００から受信する処理（ステップＳ２０：ＲＲＣ  Ｃｏｎｎｅｃｔｉｏｎ  Ｒｅｃｏｎｆｉｇｕｒａｔｉｏｎ  Ｃｏｍｐｌｅｔｅ）と、を行う。
【００８０】
制御部２３０は、肯定応答メッセージの受信（ステップＳ１８：ＷＴ  Ａｄｄｉｔｉｏｎ  Ｒｅｑｕｅｓｔ  Ａｃｋｎｏｗｌｅｄｇｅ）又は設定完了メッセージの受信（ステップＳ２０：ＲＲＣ  Ｃｏｎｎｅｃｔｉｏｎ  Ｒｅｃｏｎｆｉｇｕｒａｔｉｏｎ  Ｃｏｍｐｌｅｔｅ）に応じて、ＵＥ１００とＷＬＡＮとの間のＷＬＡＮ  ａｓｓｏｃｉａｔｉｏｎの失敗を判定するためのタイマを開始させる。なお、タイマは、ＯＡＭ（Ｏｐｅｒａｔｉｏｎ  Ａｄｍｉｎｉｓｔｒａｔｉｏｎ  Ｍａｉｎｔｅｎａｎｃｅ）機能によりｅＮＢ２００に設定されてもよい。
【００８１】
これにより、ｅＮＢ２００は、ＷＬＡＮ  ａｓｓｏｃｉａｔｉｏｎが成功するまで一定の時間だけ待つことができる。一定の時間が経過した場合（すなわち、タイマが満了した場合）、ｅＮＢ２００は、ＷＬＡＮ  ａｓｓｏｃｉａｔｉｏｎが失敗したと判定することができる。
【００８２】
第１実施形態において、タイマの動作中（ｒｕｎｎｉｎｇ）に、ＷＬＡＮ  ａｓｓｏｃｉａｔｉｏｎが成功したことを示す確認メッセージ（ＷＴ  Ａｓｓｏｃｉａｔｉｏｎ  Ｃｏｎｆｉｒｍａｔｉｏｎ）をｅＮＢ２００がＷＴ４００から受信した場合、制御部２３０は、タイマを停止させる。タイマの動作中にｅＮＢ２００がＷＴ４００から確認メッセージ（ＷＴ  Ａｓｓｏｃｉａｔｉｏｎ  Ｃｏｎｆｉｒｍａｔｉｏｎ）を受信せずに、タイマが満了した場合、制御部２３０は、ＷＬＡＮ  ａｓｓｏｃｉａｔｉｏｎが失敗したと判定する。これにより、ｅＮＢ２００は、確認メッセージ（ＷＴ  Ａｓｓｏｃｉａｔｉｏｎ  Ｃｏｎｆｉｒｍａｔｉｏｎ）に基づいて、ＷＬＡＮ  ａｓｓｏｃｉａｔｉｏｎが失敗したか否かを適切に判定することができる。
【００８３】
（２）第１実施形態に係る基地局の動作パターン１
図９は、第１実施形態に係るｅＮＢ２００（基地局）の動作パターン１を示すフロー図である。
【００８４】
図９に示すように、ステップＳ１０１において、制御部２３０は、ｅＮＢ２００に接続するＵＥ１００に対するリソースの割り当てを要求する「ＷＴ  Ａｄｄｉｔｉｏｎ  Ｒｅｑｕｅｓｔ」メッセージをＷＴ４００に送信する。
【００８５】
ステップＳ１０２において、制御部２３０は、「ＷＴ  Ａｄｄｉｔｉｏｎ  Ｒｅｑｕｅｓｔ」メッセージに対する肯定応答メッセージである「ＷＴ  Ａｄｄｉｔｉｏｎ  Ｒｅｑｕｅｓｔ  Ａｃｋｎｏｗｌｅｄｇｅ」メッセージをＷＴ４００から受信する。制御部２３０は、「ＷＴ  Ａｄｄｉｔｉｏｎ  Ｒｅｑｕｅｓｔ」メッセージに対する否定応答メッセージをＷＬＡＮ２０から受信した場合、本フローを中止してもよい。制御部２３０は、ＵＥ１００とＷＬＡＮとの間のＷＬＡＮ  ａｓｓｏｃｉａｔｉｏｎの失敗を判定するためのタイマを開始させる。
【００８６】
ステップＳ１０３において、制御部２３０は、ＷＬＡＮ  ａｓｓｏｃｉａｔｉｏｎを指示するための「ＲＲＣ  Ｃｏｎｎｅｃｔｉｏｎ  Ｒｅｃｏｎｆｉｇｕｒａｔｉｏｎ」メッセージをＵＥ１００に送信する。
【００８７】
ステップＳ１０４において、制御部２３０は、「ＲＲＣ  Ｃｏｎｎｅｃｔｉｏｎ  Ｒｅｃｏｎｆｉｇｕｒａｔｉｏｎ  Ｃｏｍｐｌｅｔｅ」メッセージをＵＥ１００から受信する。制御部２３０は、「ＲＲＣ  Ｃｏｎｎｅｃｔｉｏｎ  Ｒｅｃｏｎｆｉｇｕｒａｔｉｏｎ」メッセージに対する否定応答メッセージをＵＥ１００から受信した場合、本フローを中止してもよい。
【００８８】
タイマの動作中（ｒｕｎｎｉｎｇ）に、ＷＬＡＮ  ａｓｓｏｃｉａｔｉｏｎが成功したことを示す「ＷＴ  Ａｓｓｏｃｉａｔｉｏｎ  Ｃｏｎｆｉｒｍａｔｉｏｎ」メッセージをｅＮＢ２００がＷＴ４００から受信した場合（ステップＳ１０５：Ｙｅｓ）、ステップＳ１０６において、制御部２３０は、タイマを停止させる。
【００８９】
タイマの動作中にｅＮＢ２００がＷＴ４００から「ＷＴ  Ａｓｓｏｃｉａｔｉｏｎ  Ｃｏｎｆｉｒｍａｔｉｏｎ」メッセージを受信せずに（ステップＳ１０５：Ｎｏ）、タイマが満了した場合（ステップＳ１０７：Ｙｅｓ）、ステップＳ１０８において、制御部２３０は、ＷＬＡＮ  ａｓｓｏｃｉａｔｉｏｎが失敗したと判定する。
【００９０】
（３）第１実施形態に係る動作パターン２
図１０は、第１実施形態に係るｅＮＢ２００（基地局）の動作パターン２を示すフロー図である。ここでは、動作パターン１との相違点を主として説明する。
【００９１】
図１０に示すように、ステップＳ１３１において、制御部２３０は、「ＷＴ  Ａｄｄｉｔｉｏｎ  Ｒｅｑｕｅｓｔ」メッセージをＷＴ４００に送信する。
【００９２】
ステップＳ１３２において、制御部２３０は、「ＷＴ  Ａｄｄｉｔｉｏｎ  Ｒｅｑｕｅｓｔ  Ａｃｋｎｏｗｌｅｄｇｅ」メッセージをＷＴ４００から受信する。
【００９３】
ステップＳ１３３において、制御部２３０は、ＷＬＡＮ  ａｓｓｏｃｉａｔｉｏｎを指示するための「ＲＲＣ  Ｃｏｎｎｅｃｔｉｏｎ  Ｒｅｃｏｎｆｉｇｕｒａｔｉｏｎ」メッセージをＵＥ１００に送信する。
【００９４】
ステップＳ１３４において、制御部２３０は、「ＲＲＣ  Ｃｏｎｎｅｃｔｉｏｎ  Ｒｅｃｏｎｆｉｇｕｒａｔｉｏｎ  Ｃｏｍｐｌｅｔｅ」メッセージをＵＥ１００から受信する。制御部２３０は、ＵＥ１００とＷＬＡＮとの間のＷＬＡＮ  ａｓｓｏｃｉａｔｉｏｎの失敗を判定するためのタイマを開始させる。
【００９５】
以降の動作（ステップＳ１３５乃至Ｓ１３８）は、動作パターン１と同様である。
【００９６】
（４）ＷＬＡＮ  ａｓｓｏｃｉａｔｉｏｎ失敗判定時の動作
タイマが満了した場合（すなわち、ＷＬＡＮ  ａｓｓｏｃｉａｔｉｏｎが失敗したと判定した場合）、制御部２３０は、第１乃至第３の処理のうち何れかの処理を行う。
【００９７】
第１の処理は、ＵＥ１００のためのリソースの解放をＷＴ４００に要求する処理である。つまり、第１の処理は、ＬＷＡを行わないようにする処理である。具体的には、制御部２３０は、「ＷＴ  Ａｄｄｉｔｉｏｎ  Ｒｅｑｕｅｓｔ  Ａｃｋｎｏｗｌｅｄｇｅ」メッセージをｅＮＢ２００に送信したＷＴ４００（第１のＷＴ）に対して、「ＷＴ  Ｒｅｌｅａｓｅ  Ｒｅｑｕｅｓｔ」メッセージを送信する。
【００９８】
第２の処理は、ＵＥ１００に対するリソースの割り当てを異なるＷＴ（第２のＷＴ）に要求し、かつ、ＵＥ１００のためのリソースの解放を元のＷＴ（第１のＷＴ）に要求する処理である。つまり、第２の処理は、元のＷＴ（第１のＷＴ）とは異なるＷＴによるＬＷＡを試みる処理である。具体的には、制御部２３０は、異なるＷＴ（第２のＷＴ）に対して「ＷＴ  Ａｄｄｉｔｉｏｎ  Ｒｅｑｕｅｓｔ」メッセージを送信する。制御部２３０は、その後、元のＷＴ（第１のＷＴ）に対して「ＷＴ  Ｒｅｌｅａｓｅ  Ｒｅｑｕｅｓｔ」メッセージを送信する。
【００９９】
第３の処理は、ＵＥ１００に設定するＷＬＡＮモビリティセットを変更し、かつ、モビリティセットの変更をＷＴ４００に要求する処理である。つまり、第３の処理は、元のＷＴ（第１のＷＴ）を変更せずに、ＵＥ１００に設定するＷＬＡＮモビリティセットを変更する処理である。具体的には、制御部２３０は、元のＷＴ（第１のＷＴ）に対して「ＷＴ  Ｍｏｄｉｆｉｃａｔｉｏｎ  Ｒｅｑｕｅｓｔ」メッセージを送信するとともに、ＵＥ１００に対して「ＲＲＣ  Ｃｏｎｎｅｃｔｉｏｎ  Ｒｅｃｏｎｆｉｇｕｒａｔｉｏｎ」メッセージを送信する。ここで、ＵＥ１００に新たに設定されたＷＬＡＮモビリティセットをＷＬＡＮ２０が知ることにより、当該ＷＬＡＮモビリティセット内でＵＥ１００がＡＰ切り替えを行った際にソースＡＰからターゲットＡＰに対して円滑にデータ転送を行うことができる。
【０１００】
制御部２３０は、ＵＥ１００からＷＬＡＮ測定報告（図８のステップＳ１６参照）を受信する処理を行い、第１乃至第３の処理のうち一の処理を、当該ＷＬＡＮ測定報告に含まれる情報に基づいて決定してもよい。
【０１０１】
具体的には、ＵＥ１００からＷＬＡＮ測定報告に、現在ＵＥ１００に設定されているＷＬＡＮモビリティセットに含まれるＡＰ以外のＡＰの情報が含まれていない場合、制御部２３０は、第１の処理を選択する。
【０１０２】
ＵＥ１００からＷＬＡＮ測定報告に、現在ＵＥ１００に設定されているＷＬＡＮモビリティセットに含まれるＡＰ以外のＡＰの情報が含まれており、かつ、そのＡＰが異なるＷＴ（第２のＷＴ）に属する場合、制御部２３０は、第２の処理を選択する。制御部２３０は、例えば、ＡＰの情報（ＷＬＡＮ識別子）に基づいてＯＡＭ等に問い合わせを行うことにより、そのＡＰが属するＷＴを把握することができる。
【０１０３】
ＵＥ１００からＷＬＡＮ測定報告に、現在ＵＥ１００に設定されているＷＬＡＮモビリティセットに含まれるＡＰ以外のＡＰの情報が含まれており、かつ、そのＡＰが同一のＷＴ（第１のＷＴ）に属する場合、制御部２３０は、第３の処理を選択する。
【０１０４】
［第２実施形態］
第２実施形態について説明する。
【０１０５】
第１実施形態において、ｅＮＢ２００は、ＷＴ４００からの「ＷＴ  Ａｓｓｏｃｉａｔｉｏｎ  Ｃｏｎｆｉｒｍａｔｉｏｎ」メッセージに基づいて、ＷＬＡＮ  ａｓｓｏｃｉａｔｉｏｎが失敗したか否かを判定していた。これに対し、第２実施形態において、ｅＮＢ２００は、ＵＥ１００からのＷＬＡＮ  ａｓｓｏｃｉａｔｉｏｎ成功通知（以下、「Ｓｕｃｃｅｓｓｆｕｌ  Ｉｎｄｉｃａｔｉｏｎ」と称する）に基づいて、ＷＬＡＮ  ａｓｓｏｃｉａｔｉｏｎが失敗したか否かを判定する。
【０１０６】
（１）第２実施形態に係る無線端末
第２実施形態に係るＵＥ１００（無線端末）の制御部１３０（図４参照）は、図８に示すように、ＷＬＡＮ  ａｓｓｏｃｉａｔｉｏｎを指示するための設定メッセージをｅＮＢ２００から受信する処理（ステップＳ１９：ＲＲＣ  Ｃｏｎｎｅｃｔｉｏｎ  Ｒｅｃｏｎｆｉｇｕｒａｔｉｏｎ）と、設定メッセージに対する設定完了メッセージをｅＮＢ２００に送信する処理（ステップＳ２０：ＲＲＣ  Ｃｏｎｎｅｃｔｉｏｎ  Ｒｅｃｏｎｆｉｇｕｒａｔｉｏｎ  Ｃｏｍｐｌｅｔｅ）と、を行う。
【０１０７】
制御部１３０は、設定完了メッセージの送信に応じて、ＵＥ１００とＷＬＡＮ２０との間のＷＬＡＮ  ａｓｓｏｃｉａｔｉｏｎの失敗を判定するためのタイマを開始させる。タイマは、ｅＮＢ２００により設定される。例えば、ｅＮＢ２００は、「ＲＲＣ  Ｃｏｎｎｅｃｔｉｏｎ  Ｒｅｃｏｎｆｉｇｕｒａｔｉｏｎ」メッセージによりＵＥ１００にタイマを設定してもよい。例えば、ｅＮＢ２００は、ＳＩＢ（Ｓｙｓｔｅｍ  Ｉｎｆｏｒｍａｔｉｏｎ  Ｂｌｏｃｋ）によりＵＥ１００にタイマをブロードキャストで設定してもよい。
【０１０８】
タイマの動作中にＷＬＡＮ  ａｓｓｏｃｉａｔｉｏｎが成功した場合、制御部１３０は、タイマを停止させる。タイマの動作中にＷＬＡＮ  ａｓｓｏｃｉａｔｉｏｎが成功した場合、制御部１３０は、ＷＬＡＮ  ａｓｓｏｃｉａｔｉｏｎの成功を示す「Ｓｕｃｃｅｓｓｆｕｌ  Ｉｎｄｉｃａｔｉｏｎ」をｅＮＢ２００に送信する。
【０１０９】
タイマの動作中にＷＬＡＮ  ａｓｓｏｃｉａｔｉｏｎが成功せずに、タイマが満了した場合、制御部１３０は、ＷＬＡＮ  ａｓｓｏｃｉａｔｉｏｎが失敗したと判定する。タイマが満了した場合、制御部１３０は、ｅＮＢ２００に対する「Ｓｕｃｃｅｓｓｆｕｌ  Ｉｎｄｉｃａｔｉｏｎ」の送信を中止する。
【０１１０】
図１１は、第２実施形態に係るＵＥ１００の動作を示すフロー図である。
【０１１１】
図１１に示すように、ステップＳ２０１において、制御部１３０は、ＷＬＡＮ  ａｓｓｏｃｉａｔｉｏｎを指示するための「ＲＲＣ  Ｃｏｎｎｅｃｔｉｏｎ  Ｒｅｃｏｎｆｉｇｕｒａｔｉｏｎ」メッセージをｅＮＢ２００から受信する。
【０１１２】
ステップＳ２０２において、制御部１３０は、「ＲＲＣ  Ｃｏｎｎｅｃｔｉｏｎ  Ｒｅｃｏｎｆｉｇｕｒａｔｉｏｎ  Ｃｏｍｐｌｅｔｅ」メッセージをｅＮＢ２００に送信する。制御部１３０は、ＷＬＡＮ  ａｓｓｏｃｉａｔｉｏｎの失敗を判定するためのタイマを開始させる。制御部１３０は、ＷＬＡＮ  ａｓｓｏｃｉａｔｉｏｎの試行を開始する。制御部１３０は、タイマ動作中であれば、ＷＬＡＮ  ａｓｓｏｃｉａｔｉｏｎを繰り返し試行してもよい。
【０１１３】
タイマの動作中にＷＬＡＮ  ａｓｓｏｃｉａｔｉｏｎが成功した場合（ステップＳ２０３：Ｙｅｓ）、ステップＳ２０４において、制御部１３０は、タイマを停止させる。制御部１３０は、ＷＬＡＮ  ａｓｓｏｃｉａｔｉｏｎの成功を示す「Ｓｕｃｃｅｓｓｆｕｌ  Ｉｎｄｉｃａｔｉｏｎ」をｅＮＢ２００に送信する。
【０１１４】
タイマの動作中にＷＬＡＮ  ａｓｓｏｃｉａｔｉｏｎが成功せずに（ステップＳ２０３：Ｎｏ）、タイマが満了した場合（ステップＳ２０５：Ｙｅｓ）、ステップＳ２０６において、制御部１３０は、ＷＬＡＮ  ａｓｓｏｃｉａｔｉｏｎが失敗したと判定する。この場合、制御部１３０は、ｅＮＢ２００に対して「Ｓｕｃｃｅｓｓｆｕｌ  Ｉｎｄｉｃａｔｉｏｎ」を送信しない。制御部１３０は、ＷＬＡＮ  ａｓｓｏｃｉａｔｉｏｎの試行を中止する。
【０１１５】
（２）第２実施形態に係る基地局
第２実施形態に係るｅＮＢ２００（基地局）の制御部２３０（図５参照）は、ＵＥ１００に設定したタイマと同じ時間のタイマを管理する。制御部２３０は、「ＲＲＣ  Ｃｏｎｎｅｃｔｉｏｎ  Ｒｅｃｏｎｆｉｇｕｒａｔｉｏｎ  Ｃｏｍｐｌｅｔｅ」メッセージをＵＥ１００から受信したことに応じて、タイマを開始させる。
【０１１６】
タイマの動作中に、ＷＬＡＮ  ａｓｓｏｃｉａｔｉｏｎが成功したことを示す「Ｓｕｃｃｅｓｓｆｕｌ  Ｉｎｄｉｃａｔｉｏｎ」をＵＥ１００から受信した場合、制御部２３０は、タイマを停止させる。タイマの動作中にＵＥ１００から「Ｓｕｃｃｅｓｓｆｕｌ  Ｉｎｄｉｃａｔｉｏｎ」を受信せずに、タイマが満了した場合、制御部２３０は、ＷＬＡＮ  ａｓｓｏｃｉａｔｉｏｎが失敗したと判定する。ＷＬＡＮ  ａｓｓｏｃｉａｔｉｏｎが失敗したと判定した場合の動作（ＷＬＡＮ  ａｓｓｏｃｉａｔｉｏｎ失敗判定時の動作）については、第１実施形態と同様である。
【０１１７】
図１２は、第２実施形態に係るｅＮＢ２００（基地局）の動作を示すフロー図である。第１実施形態との相違点を主として説明する。
【０１１８】
図１２に示すように、ステップＳ２３１において、制御部２３０は、「ＷＴ  Ａｄｄｉｔｉｏｎ  Ｒｅｑｕｅｓｔ」メッセージをＷＴ４００に送信する。
【０１１９】
ステップＳ２３２において、制御部２３０は、「ＷＴ  Ａｄｄｉｔｉｏｎ  Ｒｅｑｕｅｓｔ  Ａｃｋｎｏｗｌｅｄｇｅ」メッセージをＷＴ４００から受信する。
【０１２０】
ステップＳ２３３において、制御部２３０は、ＷＬＡＮ  ａｓｓｏｃｉａｔｉｏｎを指示するための「ＲＲＣ  Ｃｏｎｎｅｃｔｉｏｎ  Ｒｅｃｏｎｆｉｇｕｒａｔｉｏｎ」メッセージをＵＥ１００に送信する。
【０１２１】
ステップＳ２３４において、制御部２３０は、「ＲＲＣ  Ｃｏｎｎｅｃｔｉｏｎ  Ｒｅｃｏｎｆｉｇｕｒａｔｉｏｎ  Ｃｏｍｐｌｅｔｅ」メッセージをＵＥ１００から受信する。制御部２３０は、ＵＥ１００とＷＬＡＮとの間のＷＬＡＮ  ａｓｓｏｃｉａｔｉｏｎの失敗を判定するためのタイマを開始させる。
【０１２２】
タイマの動作中に、ＷＬＡＮ  ａｓｓｏｃｉａｔｉｏｎが成功したことを示す「Ｓｕｃｃｅｓｓｆｕｌ  Ｉｎｄｉｃａｔｉｏｎ」をｅＮＢ２００がＵＥ１００から受信した場合（ステップＳ２３５：Ｙｅｓ）、ステップＳ２３６において、制御部２３０は、タイマを停止させる。
【０１２３】
タイマの動作中にｅＮＢ２００がＵＥ１００から「Ｓｕｃｃｅｓｓｆｕｌ  Ｉｎｄｉｃａｔｉｏｎ」を受信せずに（ステップＳ２３５：Ｎｏ）、タイマが満了した場合（ステップＳ２３７：Ｙｅｓ）、ステップＳ２３８において、制御部２３０は、ＷＬＡＮ  ａｓｓｏｃｉａｔｉｏｎが失敗したと判定する。
【０１２４】
［第３実施形態］
第３実施形態について説明する。
【０１２５】
第１実施形態及び第２実施形態において、ｅＮＢ２００が管理するタイマを用いて、ＷＬＡＮ  ａｓｓｏｃｉａｔｉｏｎが失敗したか否かを判定していた。第３実施形態においては、ＷＴ４００が管理するタイマを用いて、ＷＬＡＮ  ａｓｓｏｃｉａｔｉｏｎが失敗したか否かを判定する。
【０１２６】
第３実施形態に係るＷＴ４００の制御部４１０（図６参照）は、図８に示すように、ｅＮＢ２００に接続するＵＥ１００に対するリソースの割り当てを要求する要求メッセージをｅＮＢ２００から受信する処理（ステップＳ１７：ＷＴ  Ａｄｄｉｔｉｏｎ  Ｒｅｑｕｅｓｔ）と、要求メッセージに対する肯定応答メッセージをｅＮＢ２００に送信する処理（ステップＳ１８：ＷＴ  Ａｄｄｉｔｉｏｎ  Ｒｅｑｕｅｓｔ  Ａｃｋｎｏｗｌｅｄｇｅ）と、を行う。制御部４１０は、肯定応答メッセージの送信に応じて、ＵＥ１００とＷＬＡＮとの間のＷＬＡＮ  ａｓｓｏｃｉａｔｉｏｎの失敗を判定するためのタイマを開始させる。タイマは、ＯＡＭ機能によりＷＴ４００に設定されてもよい。タイマは、ｅＮＢ２００によりＷＴ４００に設定されてもよい。
【０１２７】
タイマの動作中にＷＬＡＮ  ａｓｓｏｃｉａｔｉｏｎが成功した場合、制御部４１０は、タイマを停止させる。この場合、制御部４１０は、「ＷＴ  Ａｓｓｏｃｉａｔｉｏｎ  Ｃｏｎｆｉｒｍａｔｉｏｎ」メッセージをｅＮＢ２００に送信する。
【０１２８】
タイマの動作中にＷＬＡＮ  ａｓｓｏｃｉａｔｉｏｎが成功せずに、タイマが満了した場合、制御部４１０は、ＷＬＡＮ  ａｓｓｏｃｉａｔｉｏｎが失敗したと判定する。タイマが満了した場合、制御部４１０は、ＷＬＡＮ  ａｓｓｏｃｉａｔｉｏｎの失敗を示す失敗メッセージ（以下、「ＷＴ  Ａｓｓｏｃｉａｔｉｏｎ  Ｆａｉｌｕｒｅ」と称する）をｅＮＢ２００に送信する。
【０１２９】
これにより、ｅＮＢ２００は、「ＷＴ  Ａｓｓｏｃｉａｔｉｏｎ  Ｆａｉｌｕｒｅ」メッセージに基づいて、ＷＬＡＮ  ａｓｓｏｃｉａｔｉｏｎが失敗したことを把握することができる。具体的には、ｅＮＢ２００は、「ＷＴ  Ａｓｓｏｃｉａｔｉｏｎ  Ｆａｉｌｕｒｅ」メッセージをＷＴ４００から受信したことに応じて、ＷＬＡＮ  ａｓｓｏｃｉａｔｉｏｎが失敗したと判定する。ＷＬＡＮ  ａｓｓｏｃｉａｔｉｏｎが失敗したと判定した場合の動作（ＷＬＡＮ  ａｓｓｏｃｉａｔｉｏｎ失敗判定時の動作）は、第１実施形態と同様である。
【０１３０】
制御部４１０は、ＷＬＡＮ  ａｓｓｏｃｉａｔｉｏｎの失敗の原因（ｃａｕｓｅ）を示す情報を「ＷＴ  Ａｓｓｏｃｉａｔｉｏｎ  Ｆａｉｌｕｒｅ」メッセージに含めてもよい。このようなｃａｕｓｅとして、例えば、ＷＬＡＮ  ａｓｓｏｃｉａｔｉｏｎの失敗がＷＬＡＮ２０（ＷＴ４００）側の問題に起因することを示してもよい。
【０１３１】
図１３は、第３実施形態に係るＷＴ４００の動作を示すフロー図である。
【０１３２】
図１３に示すように、ステップＳ３０１において、制御部４１０は、「ＷＴ  Ａｄｄｉｔｉｏｎ  Ｒｅｑｕｅｓｔ」メッセージをｅＮＢ２００から受信する。
【０１３３】
ステップＳ３０２において、制御部４１０は、「ＷＴ  Ａｄｄｉｔｉｏｎ  Ｒｅｑｕｅｓｔ  Ａｃｋｎｏｗｌｅｄｇｅ」メッセージをｅＮＢ２００に送信する。制御部４１０は、ＷＬＡＮ  ａｓｓｏｃｉａｔｉｏｎの失敗を判定するためのタイマを開始させる。
【０１３４】
タイマの動作中にＷＬＡＮ  ａｓｓｏｃｉａｔｉｏｎが成功した場合（ステップＳ３０３：Ｙｅｓ）、ステップＳ３０４において、制御部４１０は、タイマを停止させる。制御部４１０は、「ＷＴ  Ａｓｓｏｃｉａｔｉｏｎ  Ｃｏｎｆｉｒｍａｔｉｏｎ」メッセージをｅＮＢ２００に送信する。
【０１３５】
タイマの動作中にＷＬＡＮ  ａｓｓｏｃｉａｔｉｏｎが成功せずに（ステップＳ３０３：Ｎｏ）、タイマが満了した場合（ステップＳ３０５：Ｙｅｓ）、ステップＳ３０６において、制御部４１０は、ＷＬＡＮ  ａｓｓｏｃｉａｔｉｏｎが失敗したと判定する。制御部４１０は、ＷＬＡＮ  ａｓｓｏｃｉａｔｉｏｎの失敗を示す「ＷＴ  Ａｓｓｏｃｉａｔｉｏｎ  Ｆａｉｌｕｒｅ」メッセージをｅＮＢ２００に送信する。
【０１３６】
［第４実施形態］
第４実施形態について説明する。
【０１３７】
第１実施形態及び第２実施形態において、ｅＮＢ２００が管理するタイマを用いて、ＷＬＡＮ  ａｓｓｏｃｉａｔｉｏｎが失敗したか否かを判定していた。第３実施形態において、ＷＴ４００が管理するタイマを用いて、ＷＬＡＮ  ａｓｓｏｃｉａｔｉｏｎが失敗したか否かを判定していた。第４実施形態において、ＵＥ１００が管理するタイマを用いて、ＷＬＡＮ  ａｓｓｏｃｉａｔｉｏｎが失敗したか否かを判定する。
【０１３８】
第４実施形態に係るＵＥ１００（無線端末）の制御部１３０（図４参照）は、第２実施形態と同様に、「ＲＲＣ  Ｃｏｎｎｅｃｔｉｏｎ  Ｒｅｃｏｎｆｉｇｕｒａｔｉｏｎ  Ｃｏｍｐｌｅｔｅ」メッセージの送信に応じて、ＵＥ１００とＷＬＡＮ２０との間のＷＬＡＮ  ａｓｓｏｃｉａｔｉｏｎの失敗を判定するためのタイマを開始させる。タイマは、ｅＮＢ２００により設定される。例えば、ｅＮＢ２００は、「ＲＲＣ  Ｃｏｎｎｅｃｔｉｏｎ  Ｒｅｃｏｎｆｉｇｕｒａｔｉｏｎ」メッセージによりＵＥ１００にタイマを設定してもよい。例えば、ｅＮＢ２００は、ＳＩＢ（Ｓｙｓｔｅｍ  Ｉｎｆｏｒｍａｔｉｏｎ  Ｂｌｏｃｋ）によりＵＥ１００にタイマをブロードキャストで設定してもよい。
【０１３９】
タイマの動作中にＷＬＡＮ  ａｓｓｏｃｉａｔｉｏｎが成功した場合、制御部１３０は、タイマを停止させる。タイマの動作中にＷＬＡＮ  ａｓｓｏｃｉａｔｉｏｎが成功した場合、制御部１３０は、ＷＬＡＮ  ａｓｓｏｃｉａｔｉｏｎの成功を示す「Ｓｕｃｃｅｓｓｆｕｌ  Ｉｎｄｉｃａｔｉｏｎ」をｅＮＢ２００に送信してもよい。
【０１４０】
タイマの動作中にＷＬＡＮ  ａｓｓｏｃｉａｔｉｏｎが成功せずに、タイマが満了した場合、制御部１３０は、ＷＬＡＮ  ａｓｓｏｃｉａｔｉｏｎが失敗したと判定する。タイマが満了した場合、制御部１３０は、ＷＬＡＮ  ａｓｓｏｃｉａｔｉｏｎが失敗したことを示す失敗通知である「Ａｓｓｏｃｉａｔｉｏｎ  Ｆａｉｌｕｒｅ」をｅＮＢ２００に送信する。
【０１４１】
これにより、ｅＮＢ２００は、ＵＥ１００からの「Ａｓｓｏｃｉａｔｉｏｎ  Ｆａｉｌｕｒｅ」に基づいて、ＷＬＡＮ  ａｓｓｏｃｉａｔｉｏｎが失敗したことを把握することができる。具体的には、ｅＮＢ２００は、「Ａｓｓｏｃｉａｔｉｏｎ  Ｆａｉｌｕｒｅ」をＵＥ１００から受信したことに応じて、ＷＬＡＮ  ａｓｓｏｃｉａｔｉｏｎが失敗したと判定する。ＷＬＡＮ  ａｓｓｏｃｉａｔｉｏｎが失敗したと判定した場合の動作（ＷＬＡＮ  ａｓｓｏｃｉａｔｉｏｎ失敗判定時の動作）については、第１実施形態と同様である。「Ａｓｓｏｃｉａｔｉｏｎ  Ｆａｉｌｕｒｅ」には、ＷＬＡＮ  ａｓｓｏｃｉａｔｉｏｎの失敗の原因（ｃａｕｓｅ）を示す情報を含めてもよい。
【０１４２】
図１４は、第４実施形態に係るＵＥ１００の動作を示すフロー図である。
【０１４３】
図１４に示すように、ステップＳ４０１において、制御部１３０は、ＷＬＡＮ  ａｓｓｏｃｉａｔｉｏｎを指示するための「ＲＲＣ  Ｃｏｎｎｅｃｔｉｏｎ  Ｒｅｃｏｎｆｉｇｕｒａｔｉｏｎ」メッセージをｅＮＢ２００から受信する。
【０１４４】
ステップＳ４０２において、制御部１３０は、「ＲＲＣ  Ｃｏｎｎｅｃｔｉｏｎ  Ｒｅｃｏｎｆｉｇｕｒａｔｉｏｎ  Ｃｏｍｐｌｅｔｅ」メッセージをｅＮＢ２００に送信する。制御部１３０は、ＷＬＡＮ  ａｓｓｏｃｉａｔｉｏｎの失敗を判定するためのタイマを開始させる。制御部１３０は、ＷＬＡＮ  ａｓｓｏｃｉａｔｉｏｎの試行を開始する。制御部１３０は、タイマ動作中であれば、ＷＬＡＮ  ａｓｓｏｃｉａｔｉｏｎを繰り返し試行してもよい。
【０１４５】
タイマの動作中にＷＬＡＮ  ａｓｓｏｃｉａｔｉｏｎが成功した場合（ステップＳ４０３：Ｙｅｓ）、ステップＳ４０４において、制御部１３０は、タイマを停止させる。制御部１３０は、ＷＬＡＮ  ａｓｓｏｃｉａｔｉｏｎの成功を示す「Ｓｕｃｃｅｓｓｆｕｌ  Ｉｎｄｉｃａｔｉｏｎ」をｅＮＢ２００に送信してもよい。
【０１４６】
タイマの動作中にＷＬＡＮ  ａｓｓｏｃｉａｔｉｏｎが成功せずに（ステップＳ４０３：Ｎｏ）、タイマが満了した場合（ステップＳ４０５：Ｙｅｓ）、ステップＳ４０６において、制御部１３０は、ＷＬＡＮ  ａｓｓｏｃｉａｔｉｏｎが失敗したと判定する。制御部１３０は、「Ａｓｓｏｃｉａｔｉｏｎ  Ｆａｉｌｕｒｅ」をｅＮＢ２００に送信する。また、制御部１３０は、ＷＬＡＮ  ａｓｓｏｃｉａｔｉｏｎの試行を中止する。
【０１４７】
［その他の実施形態］
上述した第２実施形態及び第４実施形態において、ｅＮＢ２００からＵＥ１００に対してタイマを設定する一例を説明した。しかしながら、タイマに代えてカウンタを用いてもよい。具体的には、ｅＮＢ２００は、ＷＬＡＮ  ａｓｓｏｃｉａｔｉｏｎの試行回数の上限値をＵＥ１００に設定する。ＵＥ１００は、ＷＬＡＮ  ａｓｓｏｃｉａｔｉｏｎの試行回数をカウントし、カウント値が上限値に達した場合、ＷＬＡＮ  ａｓｓｏｃｉａｔｉｏｎが失敗したと判定する。その他の動作については、第２実施形態及び第４実施形態と同様である。
【０１４８】
上述した各実施形態において、ｅＮＢ２００、ＷＴ４００、ＵＥ１００は、自身のタイマを停止させた後、当該タイマをリセット（クリア）する又は初期値にする。ｅＮＢ２００、ＷＴ４００、ＵＥ１００は、自身のタイマが満了した後、当該タイマをリセット（クリア）する又は初期値にする。
【０１４９】
上述した各実施形態において、ＷＷＡＮシステムとしてＬＴＥシステムを例示した。しかしながら、本発明はＬＴＥシステムに限定されない。ＬＴＥシステム以外のＷＷＡＮシステムに本発明を適用してもよい。
【０１５０】
日本国特許出願第２０１５−２１８９３８号（２０１５年１１月６日出願）の全内容が、参照により本願明細書に組み込まれている。
【産業上の利用可能性】
【０１５１】
本発明は、無線通信分野において有用である。
【図１】
2017078062.tif 000003
【図２】
2017078062.tif 000004
【図３】
2017078062.tif 000005
【図４】
2017078062.tif 000006
【図５】
2017078062.tif 000007
【図６】
2017078062.tif 000008
【図７】
2017078062.tif 000009
【図８】
2017078062.tif 000010
【図９】
2017078062.tif 000011
【図１０】
2017078062.tif 000012
【図１１】
2017078062.tif 000013
【図１２】
2017078062.tif 000014
【図１３】
2017078062.tif 000015
【図１４】
2017078062.tif 000016
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
ＷＷＡＮ（Ｗｉｒｅｌｅｓｓ  Ｗｉｄｅ  Ａｒｅａ  Ｎｅｔｗｏｒｋ）の基地局に接続する無線端末であって、
前記無線端末とＷＬＡＮ（Ｗｉｒｅｌｅｓｓ  Ｌｏｃａｌ  Ａｒｅａ  Ｎｅｔｗｏｒｋ）との間の接続処理を指示する設定メッセージを前記基地局から受信する処理であって、前記設定メッセージは、前記無線端末と前記ＷＬＡＮとの間の接続処理の失敗を判定するためのタイマを設定するためのタイマ情報を含む、処理と、
前記タイマ情報に基づくタイマを開始させる処理と、
前記タイマが満了した場合、前記接続処理が失敗したと判定する処理と、
前記接続処理の失敗を示す失敗メッセージを前記基地局に送信する処理であって、前記失敗メッセージは、前記接続処理の失敗の原因がタイマ満了であることを示す情報を含む、処理と、
を行う制御部を備える無線端末。
【請求項２】
前記タイマの動作中に前記接続処理が成功した場合、前記制御部は、前記タイマを停止させる請求項１に記載の無線端末。
【請求項３】
前記タイマの動作中に前記接続処理が成功した場合、前記制御部は、前記接続処理の成功を示す成功通知を前記基地局に送信する請求項１に記載の無線端末。
【請求項４】
ＷＷＡＮ（Ｗｉｒｅｌｅｓｓ  Ｗｉｄｅ  Ａｒｅａ  Ｎｅｔｗｏｒｋ）の基地局であって、
前記基地局との間にインターフェイスを有するＷＬＡＮ（Ｗｉｒｅｌｅｓｓ  Ｌｏｃａｌ  Ａｒｅａ  Ｎｅｔｗｏｒｋ）終端ノードに対して、前記基地局に接続する無線端末に対するリソースの提供を要求する要求メッセージを送信する処理と、
前記要求メッセージに対する肯定応答メッセージを前記ＷＬＡＮ終端ノードから受信する処理と、
前記無線端末とＷＬＡＮとの間の接続処理を指示するための設定メッセージを前記無線端末に送信する処理であって、前記設定メッセージは、前記無線端末と前記ＷＬＡＮとの間の接続処理の失敗を判定するためのタイマを設定するためのタイマ情報を含む、処理と、
前記接続処理の失敗を示す失敗メッセージを前記無線端末から受信する処理であって、前記失敗メッセージは、前記接続処理の失敗の原因がタイマ満了であることを示す情報を含む、処理と、を行う制御部を備える基地局。
【国際調査報告】
2017078062.tif 000017
2017078062.tif 000018
2017078062.tif 000019
2017078062.tif 000020